(57)【要約】【課題】工場でも現場でも安定した品質で容易に施工できるガラスブロックの取付構造を提供する。【解決手段】ガラスブロック１が枠体２を介して外壁パネル３の開口部３０に取り付けられてなるガラスブロック１の取付構造であって、枠体２の内周フランジ部２１に対向する本体２０内周面にガラスブロック取付金具４が設けられ、外周フランジ部２２に対向する本体２０外周面に枠体取付金具５が設けられ、ガラスブロック取付金具４は、内周フランジ部２１との間でガラスブロック１の外周縁のリブ１２を係止固定するとともに、枠体取付金具５は、外周フランジ部２２との間で外壁パネル３の開口部３０の周縁部を係止固定するようになされたものである。【選択図】  図２
2005068929.tif 000002
【特許請求の範囲】
【請求項１】
ガラスブロックが枠体を介して外壁パネルに設けられた開口部に取り付けられてなるガラスブロックの取付構造であって、
枠体は、矩形筒状に形成された本体の一端内周部に内周フランジ部が形成されるとともに、他端外周部に外周フランジ部が形成され、
内周フランジ部に対向する本体内周面には、他端側から一端側の方向には弾性変形するが一端側から他端側の方向には戻り止めが働くガラスブロック取付金具が設けられ、
外周フランジ部に対向する本体外周面には、一端側から他端側の方向には弾性変形するが他端側から一端側の方向には戻り止めが働く枠体取付金具が設けられ、
ガラスブロック取付金具は、枠体内の他端側から一端側の方向に挿入されたガラスブロックに対して弾性変形してガラスブロックの外周面に形成された凹部に嵌まり込み、内周フランジ部との間でガラスブロックの外周縁のリブを係止固定するとともに、
枠体取付金具は、外壁パネルの開口部に対して、枠体の一端側から他端側の方向に枠体が挿入される際に弾性変形して外壁パネルの開口部の反対側に通過するとともに、外周フランジ部との間で外壁パネルの開口部の周縁部を係止固定するようになされたことを特徴とするガラスブロックの取付構造。
【請求項２】
枠体の本体外周面に切欠部が形成され、この切欠部には、切欠部に係止して外壁パネルの開口部の内周縁部に当接固定するようになされた位置決め金具が固定されてなる請求項１記載のガラスブロックの取付構造
【発明の詳細な説明】
【技術分野】
【０００１】
本発明は、ガラスブロックの取付構造に関する。
【背景技術】
【０００２】
一般に、住宅建物の外壁の一部分にガラスブロックを設けて意匠性の向上を図ることが行われている。
【０００３】
このガラスブロックの施工方法としては、目地に鉄筋を通すとともにモルタルを詰めてガラスブロックを固定する構造が知られているが、現場施工のためにばらつきが生じ、施工に手間がかかるとともに専門の施工技術を要することとなる。
【０００４】
そこで、従来より、ガラスブロックに固着した金具を介して、ガラスブロックを枠体内にビス固定するとともに、枠体も建物躯体にビス固定するようになされた乾式構造のガラスブロックの取付構造が提案されている。
【特許文献１】特開平１０−２０５０６１号公報
【発明の開示】
【発明が解決しようとする課題】
【０００５】
しかし、上記従来の乾式構造の場合、ガラスブロックに金具を固着するためにガラスブロックに対して金具を接着やビスによって固着しておかなければならない。接着の場合、充分な接着強度を得ることが難しく、ビス固定の場合、脆性材料であるガラスブロック二対してビス固定することが困難でビス固定した位置からガラスブロックが割れ易くなる。
【０００６】
また、ガラスブロックの破損などがあった場合でも、その度に金具を固着したガラスブロックを用意しなければならず、メインテナンス性が劣る。
【０００７】
本発明は、係る実情に鑑みてなされたものであって、工場でも現場でも安定した品質で容易に施工できるガラスブロックの取付構造を提供することを目的としている。
【課題を解決するための手段】
【０００８】
上記課題を解決するための本発明のガラスブロックの取付構造は、ガラスブロックが枠体を介して外壁パネルに設けられた開口部に取り付けられてなるガラスブロックの取付構造であって、枠体は、矩形筒状に形成された本体の一端内周部に内周フランジ部が形成されるとともに、他端外周部に外周フランジ部が形成され、内周フランジ部に対向する本体内周面には、他端側から一端側の方向には弾性変形するが一端側から他端側の方向には戻り止めが働くガラスブロック取付金具が設けられ、外周フランジ部に対向する本体外周面には、一端側から他端側の方向には弾性変形するが他端側から一端側の方向には戻り止めが働く枠体取付金具が設けられ、ガラスブロック取付金具は、枠体内の他端側から一端側の方向に挿入されたガラスブロックに対して弾性変形してガラスブロックの外周面に形成された凹部に嵌まり込み、内周フランジ部との間でガラスブロックの外周縁のリブを係止固定するとともに、枠体取付金具は、外壁パネルの開口部に対して、枠体の一端側から他端側の方向に枠体が挿入される際に弾性変形して外壁パネルの開口部の反対側に通過するとともに、外周フランジ部との間で外壁パネルの開口部の周縁部を係止固定するようになされたものである。
【０００９】
また、上記ガラスブロックの取付構造において、枠体の本体外周面に切欠部が形成され、この切欠部には、切欠部に係止して外壁パネルの開口部の内周縁部に当接固定するようになされた位置決め金具が固定されてなるものである。
【発明の効果】
【００１０】
以上述べたように、本発明によれば、ガラスブロックは、枠体の他端側から一端側の方向に挿入するだけで係止固定することができ、このガラスブロックを係止固定した枠体は、外壁パネルの開口部に対して、枠体の一端側から他端側の方向に枠体を挿入するだけで係止固定することができるので、工場でも現場でも容易に施工することができる。
【００１１】
また、枠体に対してガラスブロック取付金具および枠体取付金具さえしっかりと固定していれば、あとはこれらガラスブロック取付金具および枠体取付金具の弾性変形と戻り止めによって係止固定するだけなので、施工のばらつきもなく安定した品質で施工することができる。
【００１２】
また、枠体取付金具による位置決めが不足するような場合や外部からの衝撃で枠体がずれたような場合には、位置決め金具を用いることによって補強し、修正することができる。
【発明を実施するための最良の形態】
【００１３】
以下、本発明の実施の形態を図面を参照して説明する。
【００１４】
図１はガラスブロックの取付構造の全体構成の概略を示し、図２および図３は同断面図を示している。
【００１５】
このガラスブロック１の取付構造は、ガラスブロック１が枠体２を介して外壁パネル３の開口部３０に取り付けられた取付構造であって、枠体２の内周面に設けたガラスブロック取付金具４を介して枠体２にガラスブロック１が係止固定されるとともに、枠体２の外周面に設けた枠体取付金具５を介して枠体２が外壁パネル３の開口部３０に係止固定するようになされている。
【００１６】
ガラスブロック１は、約１９０ｍｍ角の正方形状で厚み約９５ｍｍに形成されている。ガラスブロック１の厚み部分に相当する外周面は、両端よりも中央部が窪んで凹部１１が形成され、両端部はリブ１２が周設されている。凹部１１には、厚さ約２ｍｍの発泡ポリエチレンシート１０が貼設され、断熱効果を高めるようになされている。
【００１７】
枠体２は、その本体２０部分が、内部にガラスブロック１が遊嵌状態で挿入可能な約２００ｍｍ角の矩形筒状に形成されている。この本体２０の一端部には、内方向に約１５ｍｍの幅で延設された内周フランジ部２１が形成されている。また、本体２０の他端部には、外方向に約３５ｍｍの幅で延設された外周フランジ部２２が形成されている。さらに、枠体２は、本体２０の中間部分で一端部側と他端部側とに分断されており、この分断された部分をつなぐように樹脂製の断熱層２３が設けられている。この断熱層２３により、枠体２は、熱橋を形成せず断熱性能に優れた枠体２を構成するようになされている。また、枠体２は、本体２０の内周面に、厚さ約２ｍｍの発泡ポリエチレンシート１０が貼設され、断熱効果をさらに高めるようになされている。
【００１８】
外壁パネル３は、パネル本体３１の裏面に枠組みされた枠体３２が貼設されて形成されている。この外壁パネル３のガラスブロック１を取り付ける位置には、枠体２が遊嵌状態で挿入可能な約２３０ｍｍ各の開口部３０が形成されている。この開口部３０のパネル本体３１の裏面は、開口部３０を取り巻くように枠体３２が設けられて開口部３０を補強するようになされている。
【００１９】
ガラスブロック取付金具４は、バネ鋼板を折り曲げて形成されており、本体２０の内周面に固定するための固定基板部４１と、この固定基板部４１から鋭角に折り返されてガラスブロック１の凹部１１に嵌まり込む付勢部４２と、付勢部４２がガラスブロック１の凹部１１に嵌まり込んだ状態で、ガラスブロック１のリブ１２を支持する支持部４３とを形成するようになされている。このガラスブロック取付金具４は、内周フランジ部２１と対向する枠体２の本体２０の内周面において、上下左右の各位置にビス４０で固定される。この固定状態で、ガラスブロック取付金具４は、枠体２の外周フランジ部２２側（他端部側）から内周フランジ部２１側（一端部側）の方向に挿入されるガラスブロック１に対して付勢部４２が弾性変形してガラスブロック１のリブ１２を乗り越えて凹部１１に嵌まり込む。この状態でガラスブロック１のリブ１２は、支持部４３に支持された状態で、付勢部４２と内周フランジ部２１との間で挟持固定されることとなり、ガラスブロック１を内周フランジ部２１側から外周フランジ部２２側へと引き抜こうとしても付勢部４２の先端がリブ１２に引っ掛かって戻り止めとして働くので枠体２の本体２０内にガラスブロック１を固定できることとなる。なお、この枠体２の本体２０内にガラスブロック１を固定する際、ガラスブロック１と内周フランジ部２１との間の当接面には、シール材２４が設けられる。また、ガラスブロック取付金具４によって固定しない側のガラスブロック１のリブ１２の部分には、裏込め材２５を設けてさらにその外側にシール剤２６を設けて仕上げられる。
【００２０】
枠体取付金具５は、バネ鋼板を折り曲げて形成されており、本体２０の外周面に固定するための固定基板部５１と、この固定基板部５１から鋭角に折り返されて外壁パネル３の開口部３０を貫通する付勢部５２と、付勢部５２が外壁パネル３の開口部３０を貫通した状態で、開口部３０の内周縁に係止される係止部５３とを形成するようになされている。この枠体取付金具５は、外周フランジ部２２と対向する枠体２の本体２０の外周面において、左右各面の下側の位置と、上面中央の位置との合計３箇所にビス５０で固定される。枠体２の本体２０の下面の位置には、枠体取付金具５の代わりにセッティングブロック２７が設けられる。この枠体取付金具５は、枠体２の本体２０の外周面にビス５０で固定された状態で、外壁パネル３の開口部３０に対して、枠体２の内周フランジ部２２側（他端部側）から外周フランジ部２１側（一端部側）の方向に枠体２が挿入される際に、付勢部５２が弾性変形して外壁パネル３の開口部３０の反対側に通過するとともに、係止部５３が開口部３０の内周縁に係止される。この状態で枠体２は、外周フランジ部２２と係止部５３とで外壁パネルの開口部３０を挟持固定することとなり、枠体２を開口部３０から引き抜こうしても付勢部５２が開口部３０の内周縁に引っ掛かって戻り止めとして働くので枠体２を外壁パネル３の開口部３０に固定できることとなる。なお、この枠体２を外壁パネル３の開口部３０に固定する際、外壁パネル３と外周フランジ部２２との間には、裏込め材２５を設けてさらにその外側にシール剤２６を設けて仕上げれらる。また、枠体２の内装側は、内周フランジ部２１から延設された化粧材の取付部２８に化粧カバー６を設けて仕上げられる。なお、図２において矢符Ａは、このガラスブロック１と枠体２の本体２０との間に結露水が生じた場合の水抜き通路である。
【００２１】
このようにして構成されるガラスブロック１の取付構造によると、ガラスブロック取付金具４と枠体取付金具５とを、それぞれ枠体２の本体２０に設けただけで、後は枠体２内にガラスブロック１を嵌め込み、枠体２を外壁パネル３の開口部３０に嵌め込むといった簡単な作業だけで取付作業を行うことができる。
【００２２】
したがって、施工に専門技術を要しないため、工場で取付作業を行って出荷することができる。もちろん現場においても、誰でも簡単に施工することができる。
【００２３】
また、ガラスブロック１と枠体２の本体２０との間には、モルタルが充填されることも無く、空隙が確保されており、しかも発泡ポリエチレンシート１０により断熱が図られるとともに、枠体２に設けた断熱層２３によっても枠体２が熱橋を形成しないようになされているので、断熱効果を落とすことなくガラスブロック１の施工ができる。
【００２４】
さらに、ガラスブロック１や枠体２は、ガラスブロック取付金具４と枠体取付金具５に働く付勢力によって位置が自動的に調整されるので、施工誤差や施工毎のばらつきも無く、安定した施工品質が得られることとなる。
【００２５】
仮に、工場でガラスブロック１の取付作業を行った外壁パネル３を運搬中にズレなどを生じてしまったような場合でも、図４に示すように、枠体取付金具５と併用して位置決め金具７を用いてもよい。
【００２６】
この位置決め金具７は、平板状の金具の両端部が相反する方向に直角に屈曲されて形成されており、その一端は、枠体２の本体２０の外周面に形成された切欠部２９に係止可能な係止部７１を形成するようになされており、他端は、外壁パネル３の開口部３０の裏面側に位置する枠体３２に当接する当接部７２を形成するようになされている。この位置決め金具７は、係止部７１を前記切欠部２９に係止させた状態で当接部７２を前記枠体３２に当接してビス７３で固定することによって取り付けられ、枠体取付金具５による固定を補助修正することができるようになされている。
【産業上の利用可能性】
【００２７】
住宅建物にガラスブロックを施工する場合に適用できる。
【図面の簡単な説明】
【００２８】
【図１】本発明に係るガラスブロック取付構造の全体構成の概略を示す正面図である。
【図２】図１におけるI-I 線断面図である。
【図３】図１におけるII-II 線断面図である。
【図４】本発明に係るガラスブロック取付構造の他の実施の形態を示す部分斜視図である。
【符号の説明】
【００２９】
１  ガラスブロック
１１  凹部
１２  リブ
２  枠体
２０  本体
２１  内周フランジ部
２２  外周フランジ部
３  外壁パネル
３０  開口部
４  ガラスブロック取付金具
５  枠体取付金具
７  位置決め金具
【図１】
2005068929.tif 000003
【図２】
2005068929.tif 000004
【図３】
2005068929.tif 000005
【図４】
2005068929.tif 000006